(57)【特許請求の範囲】
【請求項１】
データを取得するときの位置およびデータを再生するときの位置の情報(以下、位置情報と呼ぶ）を検出する位置検出部と、
データ取得時およびデータ再生時、前記位置検出部で検出した位置情報が、予め定めた複数の地理的情報のいずれの情報に対応する位置情報であるかを判別し、当該位置情報に対して、セキュリティ保護に基づいて段階的に設定された前記データ再生時の再生許可情報を判別する判別部と、
前記判別部による判別結果に基づいて、前記取得したデータを記録媒体に記録する記録制御部と、
データ再生時に、データ取得時に前記判別部で判別された前記再生許可情報とデータ再生時に前記判別部で判別された前記再生許可情報とを比較する比較部と、
前記比較部による比較結果に基づいて、前記データ取得時の再生許可情報と前記データ再生時の再生許可情報とが一致する前記データ、および、前記データ取得時の再生許可情報が前記データ再生時の再生許可情報よりもセキュリティ保護が低い前記データを前記記録媒体から再生許可データとして選択する選択部と、
前記選択部により選択した前記再生許可データの少なくとも１つのデータを出力して再生する再生部と、を備えるデータ記録再生装置。
【請求項２】
請求項１に記載のデータ記録再生装置において、
前記記録制御部は、前記データ取得時の地理的情報を、前記取得したデータとともに前記記録媒体に記録し、
前記選択部は、データ再生時に前記判別部で判別された前記地理的情報と一致する地理的情報を有するデータを前記記録媒体から検索して再生許可データとして選択するデータ記録再生装置。
【請求項３】
請求項２に記載のデータ記録再生装置において、
前記地理的情報と前記位置情報とを対応付けたテーブルを予め作成するテーブル作成部を有し、
前記判別部は、データ取得時および再生時、検出した前記位置情報に基づいて前記テーブルを参照して前記地理的情報を判別するデータ記録再生装置。
【請求項４】
請求項１に記載のデータ記録再生装置において、
前記記録制御部は、前記地理的情報ごとに予め記録媒体に作成したフォルダに前記取得したデータを分類して記録し、
前記選択部は、前記再生時の地理的情報に対応するフォルダ内のデータを再生許可データとして選択するデータ記録再生装置。
【請求項５】
請求項４に記載のデータ記録再生装置において、
前記位置情報に対応付けられた地理的情報ごとのフォルダを予め生成するフォルダ生成部をさらに有するデータ記録再生装置。
【請求項６】
請求項１乃至５のいずれか１項に記載のデータ記録再生装置において、
前記地理的情報は、データを取得した位置またはデータを再生する位置を含む所定の範囲を表す空間領域の情報（以下、空間領域情報と呼ぶ）であるデータ記録再生装置。
【請求項７】
請求項６に記載のデータ記録再生装置において、
前記空間領域情報は、少なくとも第１および第２の空間領域に対応する複数の情報を含み、前記第１の空間領域は、不特定な第三者の進入を禁止した領域であり、前記第２の空間領域は、不特定な第三者の進入を禁止しない領域であるデータ記録再生装置。
【請求項８】
請求項７に記載のデータ記録再生装置において、
前記第１の空間領域はプライベート領域であり、前記第２の空間領域はパブリック領域であるデータ記録再生装置。
【請求項９】
請求項７または８に記載のデータ記録再生装置において、
データ取得時に検出された前記空間領域情報が前記第１および第２の空間領域に対応する情報である場合、前記判別部は、空間領域情報を前記第１の空間領域に対応する情報として判別するデータ記録再生装置。
【請求項１０】
請求項１乃至９のいずれか１項に記載のデータ記録再生装置において、
前記データの特徴を認識する認識部をさらに備え、
前記判別部は、前記認識部による認識結果も加味して、前記取得したデータの空間領域情報を判別するデータ記録再生装置。
【請求項１１】
請求項７乃至１０のいずれか一項に記載のデータ記録再生装置において、
前記選択部は、再生時の前記空間領域情報が前記第１の空間領域に対応する情報であれば、データ取得時に前記第1および第２の空間領域に対応する空間領域情報として判別されたデータを再生許可データとして選択し、再生時の前記空間領域情報が前記第２の空間領域に対応する情報であれば、データ取得時に前記第２の空間領域に対応する空間領域情報として判別されたデータのみを再生許可データとして選択するデータ記録再生装置。
【請求項１２】
請求項１１に記載のデータ記録再生装置において、
データ再生時、前記空間領域情報が前記第１および第２の空間領域に対応する情報である場合、前記第１の空間領域に対応する空間領域情報を再生時の空間領域情報とするデータ記録再生装置。
【請求項１３】
請求項１乃至１２のいずれか一項に記載のデータ記録再生装置において、
前記位置検出部は、ＧＰＳから出力される位置情報を地図上の座標に変換して、地図上におけるデータ記録再生装置の位置を特定するデータ記録再生装置。
【請求項１４】
請求項６乃至１３のいずれか一項に記載のデータ記録再生装置において、
前記空間領域は、地図上における地点を示す中心位置と、前記中心位置を中心とした所定の半径とによって、前記地図上における一定の範囲を有する領域であるデータ記録再生装置。
【請求項１５】
請求項１乃至１４のいずれか一項に記載のデータ記録再生装置において、
前記データは、静止画データ、動画データ、および音声データの少なくともいずれか一つを含むデータ記録再生装置。
【請求項１６】
データを取得するときの位置およびデータを再生するときの位置の情報(以下、位置情報と呼ぶ）を検出する位置検出手順と、
データ取得時およびデータ再生時、前記位置検出手順で検出した位置情報が、予め定めた複数の地理的情報のいずれの情報に対応する位置情報であるかを判別し、当該位置情報に対して、セキュリティ保護に基づいて段階的に設定された前記データ再生時の再生許可情報を判別する判別手順と、
前記判別手順による判別結果に基づいて、前記取得したデータを記録媒体に記録する記録制御手順と、
データ再生時に、データ取得時に前記判別手順で判別された前記再生許可情報とデータ再生時に前記判別手順で判別された前記再生許可情報とを比較する比較手順と、
前記比較手順による比較結果に基づいて、前記データ取得時の再生許可情報と前記データ再生時の再生許可情報とが一致する前記データ、および、前記データ取得時の再生許可情報が前記データ再生時の再生許可情報よりもセキュリティ保護が低い前記データを前記記録媒体から再生許可データとして選択する選択手順と、
前記選択手順により選択された前記再生許可データの少なくとも１つを出力して再生する再生手順と、をコンピュータに実行させるデータ記録再生プログラム。
【発明の詳細な説明】
【技術分野】
【０００１】
本発明は、データを記録、再生するデータ記録再生装置、データ記録再生プログラム、およびデータを再生するデータ再生装置に関する。
【背景技術】
【０００２】
従来、使用者のプライベートボタン操作によりプライベートモードを選択して撮影する電子カメラが知られている。この電子カメラでは、プライベートモードを選択して撮影した画像の再生を禁止して、個人的な写真が不特定多数の人に見られることを防止することができる（例えば特許文献１）。【０００３】
【特許文献１】特開２００４−２１５１０３号公報
【発明の開示】
【発明が解決しようとする課題】
【０００４】
しかしながら、従来の電子カメラにおいては、あらかじめプライベートモードを選択し忘れると、個人的な画像が不特定多数の人に見られてしまう可能性があった。
【課題を解決するための手段】
【０００５】
本発明によるデータ記録再生装置は、データを取得するときの位置およびデータを再生するときの位置の情報(以下、位置情報と呼ぶ）を検出する位置検出部と、データ取得時およびデータ再生時、位置検出部で検出した位置情報が、予め定めた複数の地理的情報のいずれの情報に対応する位置情報であるかを判別し、当該位置情報に対して、セキュリティ保護に基づいて段階的に設定されたデータ再生時の再生許可情報を判別する判別部と、判別部による判別結果に基づいて、取得したデータを記録媒体に記録する記録制御部と、データ再生時に、データ取得時に判別部で判別された再生許可情報とデータ再生時に判別部で判別された再生許可情報とを比較する比較部と、比較部による比較結果に基づいて、データ取得時の再生許可情報とデータ再生時の再生許可情報とが一致するデータ、および、データ取得時の再生許可情報がデータ再生時の再生許可情報よりもセキュリティ保護が低いデータを記録媒体から再生許可データとして選択する選択部と、選択部により選択した再生許可データの少なくとも１つのデータを出力して再生する再生部と、を備える。
記録制御部は、データ取得時の地理的情報を、取得したデータとともに記録媒体に記録し、選択部は、データ再生時に判別部で判別された地理的情報と一致する地理的情報を有するデータを記録媒体から検索して再生許可データとして選択することができる。このように構成したデータ記録再生装置は、さらに、地理的情報と位置情報とを対応付けたテーブルを予め作成するテーブル作成部を設けることができる。このデータ記録再生装置での判別部は、データ取得時および再生時、検出した位置情報に基づいてテーブルを参照して地理的情報を判別する。
地理的情報ごとに予め記録媒体に作成したフォルダに取得したデータを分類して記録するように記録制御部を構成することもできる。このデータ記録再生装置の選択部は、再生時の地理的情報に対応するフォルダ内のデータを再生許可データとして選択する。このように構成したデータ記録再生装置は、位置情報に対応付けられた地理的情報ごとのフォルダを予め生成するフォルダ生成部をさらに有する。
地理的情報は、データを取得した位置またはデータを再生する位置を含む所定の範囲を表す空間領域の情報（以下、空間領域情報と呼ぶ）である。この空間領域情報は、少なくとも第１および第２の空間領域に対応する複数の情報を含み、第１の空間領域は、不特定な第三者の進入を禁止した領域であり、第２の空間領域は、不特定な第三者の進入を禁止しない領域である。第１の空間領域をプライベート領域とし、第２の空間領域をパブリック領域としてもよい。
第１および第２の空間領域を定義したデータ記録再生装置では、データ取得時に検出された空間領域情報が第１および第２の空間領域に対応する情報である場合、判別部は、空間領域情報を第１の空間領域に対応する情報として判別するのが好ましい。
データの特徴を認識する認識部をさらに備えたデータ記録再生装置の判別部は、認識部による認識結果も加味して、取得したデータの空間領域情報を判別するように構成することができる。
第１および第２の空間領域を定義したデータ記録再生装置では、選択部は、再生時の空間領域情報が第１の空間領域に対応する情報であれば、データ取得時に第１および第２の空間領域に対応する空間領域情報として判別されたデータを再生許可データとして選択し、再生時の空間領域情報が第２の空間領域に対応する情報であれば、データ取得時に第２の空間領域に対応する空間領域情報として判別されたデータのみを再生許可データとして選択する。
空間領域情報として第１および第２の空間領域を定義したデータ記録再生装置において、データ再生時、空間領域情報が第１および第２の空間領域に対応する情報である場合、第１の空間領域に対応する空間領域情報を再生時の空間領域情報とする。
位置検出部は、ＧＰＳから出力される位置情報を地図上の座標に変換して、地図上におけるデータ記録再生装置の位置を特定するようにしてもよい。
上記空間領域は、地図上における地点を示す中心位置と、中心位置を中心とした所定の半径とによって、地図上における一定の範囲を有する領域である。
データ記録再生装置の対象データは、静止画データ、動画データ、および音声データの少なくともいずれか一つを含む。
本発明の別の態様によるデータ記録再生プログラムは、データを取得するときの位置およびデータを再生するときの位置の情報(以下、位置情報と呼ぶ）を検出する位置検出手順と、データ取得時およびデータ再生時、位置検出手順で検出した位置情報が、予め定めた複数の地理的情報のいずれの情報に対応する位置情報であるかを判別し、当該位置情報に対して、セキュリティ保護に基づいて段階的に設定されたデータ再生時の再生許可情報を判別する判別手順と、判別手順による判別結果に基づいて、取得したデータを記録媒体に記録する記録制御手順と、データ再生時に、データ取得時に判別手順で判別された再生許可情報とデータ再生時に判別手順で判別された再生許可情報とを比較する比較手順と、比較手順による比較結果に基づいて、データ取得時の再生許可情報とデータ再生時の再生許可情報とが一致するデータ、および、データ取得時の再生許可情報がデータ再生時の再生許可情報よりもセキュリティ保護が低いデータを記録媒体から再生許可データとして選択する選択手順と、選択手順により選択された再生許可データの少なくとも１つを出力して再生する再生手順と、をコンピュータに実行させる。
【発明の効果】
【０００６】
本発明によれば、データ取得時および再生時の地理的情報に応じて自動的に再生許可データを選択することができ、使用者の操作忘れ等によって個人的なデータが不特定多数の人に対して再生されることを防止できる。
【図面の簡単な説明】
【０００７】
【図１】データ記録再生装置をデジタルカメラに適用した場合の一実施の形態の構成を示すブロック図である。
【図２】空間分類辞書に登録されるデータの具体例を示す図である。
【図３】空間分類テーブルに登録されるデータの具体例を示す図である。
【図４】デジタルカメラ１００の処理を示すフローチャート図である。
【図５】プログラム製品を提供するために用いる機器の全体構成を説明する図である。
【発明を実施するための最良の形態】
【０００８】
図１は、本実施の形態におけるデータ記録再生装置をデジタルカメラに適用した場合の一実施の形態の構成を示すブロック図である。デジタルカメラ１００は、入力スイッチ１０１、レンズ１０２、撮像素子１０３、ＧＰＳセンサ１０４、制御装置１０５、メモリ１０６、メモリカードスロット１０７、およびモニタ１０８を備えている。【０００９】
入力スイッチ１０１は使用者によって操作される種々のスイッチを含み、操作に応じた操作信号を制御装置１０５へ出力する。レンズ１０２は、複数の光学レンズ群から構成される。なお、図１ではレンズ１０２を１枚のレンズで代表して表している。撮像素子１０３は、例えばＣＣＤであり、レンズ１０２を通して入力される被写体像を撮像し、撮像して得た画像信号を制御装置１０５へ出力する。制御装置１０５は、入力された画像信号に対して各種の信号処理、画像処理を施して画像データを生成する。【００１０】
ＧＰＳセンサ１０４は、ＧＰＳ（Ｇｌｏｂａｌ  Ｐｏｓｉｔｉｏｎｉｎｇ  Ｓｙｓｔｅｍ）衛星からのＧＰＳ信号を受信して、デジタルカメラ１００の現在位置に関する情報、例えば緯度経度情報を検出する。そして、検出したデジタルカメラ１００の現在位置に関する情報を制御装置１０５へ出力する。【００１１】
制御装置１０５は、ＣＰＵやその他の周辺回路によって構成され、現在位置特定部１０５ａ、空間分類辞書登録部１０５ｂ、画像分類部１０５ｃ、画像取得部１０５ｄ、再生対象画像判定部１０５ｅ、および画像再生部１０５ｆを機能的に備えている。【００１２】
現在位置特定部１０５ａは、ＧＰＳセンサ１０４から出力される位置情報に基づいて、デジタルカメラ１００の現在位置を特定する。本実施の形態では、メモリ１０６内に記録されている地図データ上におけるデジタルカメラ１００の現在位置を特定する。ここでは、メモリ１０６内に記録されている地図データがＸ座標とＹ座標とによって地図上の任意の地点を特定できるものとする。すなわち、現在位置特定部１０５ａは、ＧＰＳセンサ１０４から出力される位置情報を地図上のＸ座標、Ｙ座標に変換して、地図上におけるデジタルカメラ１００の現在位置を特定する。【００１３】
空間分類辞書登録部１０５ｂは、使用者からの指示に基づいて、図２に示す空間分類辞書へのデータの登録を行う。空間分類辞書は、空間エリア情報２ａと空間分類情報２ｂとを対応付けした辞書であり、メモリ１０６に記録されて生成される。空間エリア情報２ａは、地図上における空間領域を特定するために用いられる地理的情報（空間領域情報）を示し、空間分類情報２ｂは、空間エリア情報２ａによって特定される空間が属する空間エリアの種別を示す。【００１４】
空間エリア情報２ａには、地図上における地点の座標値を示す中心位置（Ｘ，Ｙ）と、その中心位置を中心とした半径Ｒとが記録され、この中心位置と半径とによって地図上で一定の範囲を有する空間を特定することができる。なお、空間エリア情報２ａには、地図上における地点の座標値を示す中心位置（Ｘ，Ｙ）に替えて、空間の矩形を表す座標値（Ｘ´１，Ｙ´１，Ｘ´２，Ｙ´２）を記録してもよい。【００１５】
また、空間分類情報２ｂには、空間エリア情報２ａで特定される空間の第三者によるアクセスの可能性に応じた分類結果が記録される。ここで、第三者によるアクセスの可能性に応じて、空間はＣｌｏｓｅｄ  ＳｐａｃｅとＯｐｅｎ  Ｓｐａｃｅとに分類される。Ｃｌｏｓｅｄ  Ｓｐａｃｅは個人的に使用する空間などの第三者によってアクセスされる可能性が低い、すなわち不特定な第三者の侵入を禁止した領域である。Ｏｐｅｎ  Ｓｐａｃｅは公共的な空間などの第三者によってアクセスされる可能性が高い、すなわち不特定な第三者の侵入を禁止しない領域である。【００１６】
本実施の形態では、Ｃｌｏｓｅｄ  ＳｐａｃｅとＯｐｅｎ  Ｓｐａｃｅを、第三者によるアクセスの可能性に応じてさらに詳細に分類した以下の（Ａ）〜（Ｅ）の５つの空間分類情報を用いて、空間エリア情報２ａによって特定される空間を分類する。すなわち、空間分類辞書２ｂには、空間エリア情報２ａに対応する空間分類情報として、以下の（Ａ）〜（Ｅ）に示す空間分類情報のいずれかが記録される。なお、空間分類情報は、以下に説明する５つに限定されず、使用者のニーズに応じて様々な分類が可能である。【００１７】
（Ａ）Ｐｒｉｖａｔｅ  Ｓｐａｃｅ
Ｐｒｉｖａｔｅ  Ｓｐａｃｅは、Ｃｌｏｓｅｄ  Ｓｐａｃｅに含まれ、デジタルカメラ１００の使用者が個人的な写真（画像）を撮影する空間、例えば自室や書斎などの空間を分類するための空間分類情報である。【００１８】
（Ｂ）Ｈｏｍｅ  Ｓｐａｃｅ
Ｈｏｍｅ  Ｓｐａｃｅは、Ｃｌｏｓｅｄ  Ｓｐａｃｅに含まれ、デジタルカメラ１００の使用者が家族の写真を撮影する空間、例えばリビングルームなどの空間を分類するための空間分類情報である。【００１９】
（Ｃ）Ｆｒｉｅｎｄ  Ｓｐａｃｅ
Ｆｒｉｅｎｄ  Ｓｐａｃｅは、Ｃｌｏｓｅｄ  Ｓｐａｃｅに含まれ、デジタルカメラ１００の使用者が友人との写真を撮影する空間、例えば友人宅などの空間を分類するための空間分類情報である。【００２０】
（Ｄ）Ｂｕｓｉｎｅｓｓ  Ｓｐａｃｅ
Ｂｕｓｉｎｅｓｓ  Ｓｐａｃｅは、Ｃｌｏｓｅｄ  Ｓｐａｃｅに含まれ、デジタルカメラ１００の使用者が仕事上の写真を撮影する空間、例えば職場や取引先などの空間を分類するための空間分類情報である。【００２１】
（Ｅ）Ｐｕｂｌｉｃ  Ｓｐａｃｅ
Ｐｕｂｌｉｃ  Ｓｐａｃｅは、Ｏｐｅｎ  Ｓｐａｃｅに含まれ、公共的な空間、例えば映画館や博物館など、上記（Ａ）〜（Ｄ）以外の空間を分類するための空間分類情報である。【００２２】
使用者によって入力スイッチ１０１が操作されて空間分類辞書へのデータの登録が指示されると、空間分類辞書登録部１０５ｂは、次のようにして空間分類辞書へ空間エリア情報および空間分類情報を登録する。まず、空間分類辞書登録部１０５ｂは、使用者によって空間分類辞書へのデータの登録が指示された地点の位置情報を現在位置特定部１０５ａから取得して、これを空間エリア情報の中心位置（Ｘ，Ｙ）とする。さらに空間分類辞書登録部１０５ｂは、使用者に対して、登録を行う対象となる空間の半径の入力を促す。使用者によって入力スイッチ１０１が操作されてモニタ１０８上で半径が入力されると、空間分類辞書登録部１０５ｂは、入力された半径を空間エリア情報の半径Ｒとする。【００２３】
このようにして空間エリア情報として登録する中心位置（Ｘ，Ｙ）および半径Ｒが特定されると、空間分類辞書登録部１０５ｂは、使用者に対して当該空間エリア情報に対応する空間分類情報の入力を促す。例えば、空間分類辞書登録部１０５ｂは、（Ａ）〜（Ｅ）で上述した５つの空間分類情報をモニタ１０８に表示させ、使用者がモニタ１０８上でいずれかの空間分類情報を選択できるようにする。その結果、使用者によって入力スイッチ１０１が操作されていずれかの空間分類情報が指定されると、空間分類辞書登録部１０５ｂは、指定された空間分類情報を特定した空間エリア情報に対応する空間分類情報として空間分類辞書に登録する。【００２４】
例えば、使用者は、自室を空間分類辞書に登録したい場合には、自室の中央付近で入力スイッチ１０１を操作して空間分類辞書への登録を指示する。これにより空間分類辞書登録部１０５ｂによって中心位置（Ｘ１，Ｙ１）が特定され、空間の半径の入力が促される。使用者は、モニタ１０８上の表示に従って自室の半径としてＲ１を入力すると、空間分類辞書登録部１０５ｂによって空間（自室）の半径Ｒ１が特定される。さらに、使用者はモニタ１０８上の表示に従って自室の第三者によるアクセスの可能性に応じて、（Ａ）〜（Ｅ）のいずれかの空間分類情報を指定する。例えば、使用者がＰｒｉｖａｔｅ  Ｓｐａｃｅを指定すると、空間分類辞書登録部１０５ｂは、空間分類辞書に使用者の自室に関する情報２ｃを登録する。【００２５】
以上の処理を使用者が空間分類辞書に登録を行いたい空間内で行うことによって、図２に示すような複数の空間エリア情報２ａと空間分類情報２ｂとの対で構成される空間分類辞書が作成される。なお、使用者は、空間分類辞書に登録された情報を適宜変更できる。使用者によって空間分類辞書内の情報の変更が指示された場合には、空間分類辞書登録部１０５ｂは、使用者に対してパスワードの入力を促し、正しいパスワードが入力された場合のみ情報の変更を許可する。これによって、権限のない第三者による空間分類辞書内の情報の変更を防止できる。【００２６】
情報の変更が許可された使用者は、使用者の自室に関する情報２ｃの空間エリア情報の中心位置（Ｘ１，Ｙ１）や半径Ｒを修正して地図上で特定される空間の位置を微調整したり、空間分類情報を変更することができる。例えば、使用者は、空間分類情報をＰｒｉｖａｔｅ  ＳｐａｃｅからＨｏｍｅ  Ｓｐａｃｅへ変更できる。【００２７】
画像分類部１０５ｃは、使用者によってデジタルカメラ１００が撮影モードに設定され、入力スイッチ１０１に含まれるレリーズボタンが半押しされたことを検出すると、空間分類辞書を参照して、現在位置の空間分類情報を取得する。すなわち、画像分類部１０５ｃは、現在位置特定部１０５ａからの出力に基づいて、現在位置の地図上における座標値を特定する。そして、画像分類部１０５ｃは、空間分類辞書に登録されている情報の中に特定した座標値を含む空間エリア情報が存在するか否かを判定する。その結果、特定した座標値を含む空間エリア情報が存在すると判定した場合には、画像分類部１０５ｃは、その空間エリア情報に対応付けられている空間分類情報を抽出して、メモリ１０６内に一時的に格納する。【００２８】
このとき、使用者によって隣接する空間で空間分類辞書にデータが登録された場合には、使用者によって指定された半径Ｒの大きさによっては、隣接する空間の一部が重複する可能性がある。このように空間同士が重複する範囲内に現在位置の座標値が存在する場合には、特定した座標値を含む空間エリア情報が複数存在するので、それに対応する空間分類情報も複数抽出されることになる。このような場合には、画像分類部１０５ｃは、抽出した複数の空間分類情報の内、最も第三者によるアクセスの可能性が低い空間分類情報をメモリ１０６内に一時的に格納し、複数の空間にまたがる地点で撮影された画像に対して、より個人性の高い空間分類情報を付与する。その結果、後述する画像の再生時に、個人性の高い空間分類情報が付与された画像は再生されにくくなる。【００２９】
一方、特定した座標値を含む空間エリア情報が存在しないと判定した場合には、画像分類部１０５ｃは、使用者に対して現在位置を示す空間を空間分類辞書へ登録するように促す。このとき、上述した処理によって既に現在位置の地図上の座標値は特定済みであるため、画像分類部１０５ｃは、使用者に対して空間の半径Ｒと空間分類情報の入力を促して、使用者からの入力を受け付ければよい。使用者によって空間の半径Ｒと空間分類情報が入力された場合には、画像分類部１０５ｃは、入力された情報を空間分類辞書へ登録すると同時に、このときに入力された空間分類情報をメモリ１０６内に一時的に格納する。【００３０】
使用者によって空間の半径Ｒと空間分類情報とが入力されない場合には、画像分類部１０５ｃは、あらかじめデフォルト値として設定されている空間分類情報をメモリ１０６内に一時的に格納する。このとき、デフォルト値として最も第三者によるアクセスの可能性が低いＰｒｉｖａｔｅ  Ｓｐａｃｅを設定しておけば、後述するように、画像再生時に、Ｐｒｉｖａｔｅ  Ｓｐａｃｅが付与された画像は再生されにくくなる。なお、空間分類情報のデフォルト値は、固定値として設定されていてもよく、使用者が適宜変更できるようにしてもよい。【００３１】
画像取得部１０５ｄは、その後、使用者によってレリーズボタンが全押しされたことを検出すると、撮像素子１０３を制御して被写体像を撮像した画像データを取得し、取得した画像データをメモリ１０６内に一時的に格納する。そして、画像取得部１０５ｄは、取得した画像データに対して補間処理、色変換処理、エッジ強調処理などの公知の画像処理を施した後、圧縮処理を行って画像データを所定の画像形式、例えばＪｐｅｇ形式に圧縮する。【００３２】
その後、画像取得部１０５ｄは、画像処理が施された後の画像データに、種々の付加情報を付加した画像ファイルを生成する。例えば、画像取得部１０５ｄは、Ｊｐｅｇ形式の画像データを画像データ部に格納し、付加情報を付加情報部に格納したＥｘｉｆ形式の画像ファイルを生成する。ここで、付加情報部に付加される付加情報には、一般的には、画像撮影日時に関する情報や画像の撮影条件に関する情報が含まれる。なお、画像の撮影条件に関する情報としては、例えばシャッタースピード、ＩＳＯ感度、および絞り値に関する情報等が格納される。【００３３】
画像分類部１０５ｃは、画像取得部１０５ｄによって生成された画像ファイルの付加情報部に、メモリ１０６内に格納しておいた現在位置の空間分類情報を画像が撮影された地点の空間分類情報として記録する。画像分類部１０５ｃは、その後、付加情報部に空間分類情報を格納した画像ファイルを、メモリカードスロット１０７に挿入されているメモリカード内に記録する。以上のように、付加情報部に空間分類情報が記録された画像ファイルをメモリカードに記録することによって、各画像ファイルには撮影地点を中心とした半径Ｒで定義された撮影空間が割り当てられる。換言すると、撮影して取得した画像データを、撮影地点の地理的情報に基づいて、第三者によるアクセスの可能性といったファクターで分類分けを行うことができる。【００３４】
使用者は、入力スイッチ１０１を操作して、上述したようにメモリカードに記録された画像ファイルに含まれる画像データの再生を指示することができる。例えば、使用者によってデジタルカメラ１００が再生モードに設定されて画像の再生が指示されると、再生対象画像判定部１０５ｅは、再生地点の地理的情報に基づいて、メモリカードに記録された画像ファイルを検索し、再生対象の画像ファイルを選択する。【００３５】
本実施の形態では、再生対象画像判定部１０５ｅは、以下の（i），（ii）の条件により、画像ファイルの再生を許可して、再生が許可された画像ファイルを再生対象画像ファイルとして選択する。すなわち、
（ｉ）撮影空間における第三者によるアクセスの可能性が、画像の再生が指示された空間における第三者によるアクセスの可能性と同一であるとき。
（ii）撮影空間における第三者によるアクセスの可能性が、画像の再生が指示された空間における第三者によるアクセスの可能性よりも高いとき。
そして、画像再生部１０５ｆは、メモリカードから、選択された再生対象画像ファイルを読み込んで、モニタ１０８へ出力する。これによって、画像の再生が指示された空間では、第三者によるアクセスの可能性が、当該空間における第三者のアクセスの可能性以上である空間で撮影して取得した画像のみを再生できる。【００３６】
例えば、画像の再生が指示された再生空間がＰｕｂｌｉｃ  Ｓｐａｃｅとして判別されたときは、Ｐｕｂｌｉｃ  Ｓｐａｃｅで撮影された画像のみ再生を許可し、再生が許可された画像を再生対象とする。したがって、Ｐｕｂｌｉｃ  Ｓｐａｃｅにおける第三者によるアクセスの可能性よりも、第三者によるアクセスの可能性が低い空間で撮影して取得した画像は再生されない、このため、公共的な空間で、個人性が高い画像、例えば家族の画像や仕事上の画像が再生されてしまうことを防止することができる。また、Ｐｒｉｖａｔｅ  Ｓｐａｃｅでは、Ｐｒｉｖａｔｅ  Ｓｐａｃｅ〜Ｐｕｂｌｉｃ  Ｓｐａｃｅの全ての空間で撮影された画像を再生できる。したがって、使用者は、個人的な空間では他人の目を気にせず、全ての空間で撮影された画像を閲覧することができるようになる。【００３７】
換言すれば、画像の再生地点が公共性の高い空間になるほど、再生対象とする画像の選択条件を厳しくして、個人性の高い画像を再生されにくくできる。また、再生地点が個人性の高い空間になるほど、再生対象とする画像の選択条件を緩和して、多くの画像を再生できるようにする。このために、再生対象画像判定部１０５ｅおよび画像再生部１０５ｆは、次のように処理する。【００３８】
まず、再生対象画像判定部１０５ｅは、現在位置特定部１０５ａからの出力に基づいて、使用者によって画像の再生が指示された地点（画像再生地点）の地図上の座標値を特定する。そして、再生対象画像判定部１０５ｅは、空間分類辞書に登録されている情報の中に、特定した座標値を含む空間エリア情報が存在するか否かを判定する。特定した座標値を含む空間エリア情報が存在すると判定した場合には、再生対象画像判定部１０５ｅは、その空間エリア情報に対応付けられている空間分類情報を抽出して、画像再生地点の空間分類情報を特定する。【００３９】
空間分類辞書を参照した結果、画像再生地点として特定された空間が複数存在する場合、すなわち、画像再生地点の座標値を含む空間エリア情報が複数存在する場合、それらに対応する空間分類情報も複数抽出されることになる。再生対象画像判定部１０５ｅは、このような場合には、抽出した複数の空間分類情報の内、第三者によるアクセスの可能性が最も高い空間分類情報を、画像再生地点の空間分類情報として特定するようにする。このように、画像再生地点が複数の空間にまたがるとき、当該地点をより公共性の高い空間として特定しておくことによって、セキュリティ保護の観点から個人性の高い画像として記録された画像ファイルの再生をしにくくすることができる。【００４０】
一方、特定した座標値を含む空間エリア情報が存在しないと判定した場合には、再生対象画像判定部１０５ｅは、使用者に対して、画像の再生が指示された地点を示す空間を空間分類辞書へ登録するように促す。このとき、上述した処理によって既に画像再生地点の地図上の座標値は特定済みであるため、再生対象画像判定部１０５ｅは、使用者に対して、空間の半径Ｒと空間分類情報の入力を促して、使用者からの入力を受け付ければよい。使用者によってこれらの情報が入力された場合には、再生対象画像判定部１０５ｅは、入力された情報を空間分類辞書へ登録すると同時に、このときに入力された空間分類情報を画像再生地点の空間分類情報２ｂとして特定する。【００４１】
使用者によって空間の半径Ｒと空間分類情報とが入力されない場合には、再生対象画像判定部１０５ｅは、あらかじめデフォルト値として設定されている空間分類情報を、画像再生地点の空間分類情報として特定する。なお、空間分類情報のデフォルト値は、固定値として設定されていてもよく、使用者が適宜変更できるようにしてもよい。ここで、空間分類情報のデフォルト値を固定値とする場合には、Ｐｕｂｌｉｃ  Ｓｐａｃｅをデフォルト値とすることが好ましい。その結果、セキュリティ保護の観点から、再生対象とする画像の選択条件を最も厳しくできる。【００４２】
再生対象画像判定部１０５ｅは、以上のようにして特定した画像再生地点の空間分類情報に基づいて、再生を許可する再生対象の空間分類情報を決定する。このために、再生対象画像判定部１０５ｅは、図３に示す空間分類テーブルを参照して、画像再生地点の空間分類情報に応じた再生対象の空間分類情報を決定する。【００４３】
図３に示す空間分類テーブルは、あらかじめ作成されてメモリ１０６内に記録されている。この空間分類テーブルにおいては、画像再生地点の空間分類情報３ａに対して、Ｐｒｉｖａｔｅ  Ｓｐａｃｅ３ｂ〜Ｐｕｂｌｉｃ  Ｓｐａｃｅ３ｆのいずれを再生対象の空間分類情報とするかを○×で表している。すなわち、再生対象画像判定部１０５ｅは、画像再生地点の空間分類情報３ａに対して、空間分類テーブル上で○が付加されている空間分類情報のみを再生対象の空間分類情報として決定し、×が付加されている空間分類情報は再生対象の空間分類情報とはしない。【００４４】
再生対象画像判定部１０５ｅは、このようにして決定した再生対象の空間分類情報が付加情報部に記録されている画像ファイルを、再生対象の画像ファイルとして決定する。すなわち、メモリカードに記録されている画像ファイルの中から、付加情報部に再生対象の空間分類情報が含まれている画像ファイルのみを再生対象の画像ファイルとして選択する。これによって、再生対象画像判定部１０５ｅは、メモリカード内に記録されている画像ファイルのうち、画像再生地点の空間分類情報３ａに対して、空間分類テーブル上で○が付加されている空間分類情報を付加情報部に有する画像ファイルのみ再生を許可できる。さらに、再生対象画像判定部１０５ｅは、画像再生地点の空間分類情報３ａに対して、空間分類テーブル上で×が付加されている空間分類情報を付加情報部に有する画像ファイルの再生を禁止できる。【００４５】
例えば、使用者によって画像の再生が指示された地点の空間分類情報３ａがＰｕｂｌｉｃ  Ｓｐａｃｅであるとする。このとき、空間分類テーブル上ではＰｕｂｌｉｃ  Ｓｐａｃｅ３ｆにのみ○が付加されていることから、再生対象画像判定部１０５ｅは、付加情報部に空間分類情報としてＰｕｂｌｉｃ  Ｓｐａｃｅが記録されている画像ファイルのみを再生対象の画像ファイルとして決定する。また、使用者によって画像の再生が指示された地点の空間分類情報３ａがＨｏｍｅ  Ｓｐａｃｅであるとする。空間分類テーブル上ではＨｏｍｅ  Ｓｐａｃｅ３ｃ、Ｆｒｉｅｎｄ  Ｓｐａｃｅ３ｄ、Ｂｕｓｉｎｅｓｓ  Ｓｐａｃｅ３ｅ、およびＰｕｂｌｉｃ  Ｓｐａｃｅ３ｆに○が付加されていることから、再生対象画像判定部１０５ｅは、付加情報部にこれらの空間分類情報が記録されている画像ファイルのみを再生対象の画像ファイルとして決定する。【００４６】
そして、画像再生部１０５ｆは、再生対象画像判定部１０５ｅによって決定された再生対象の画像ファイルをモニタ１０８に出力して再生する。このように、本実施の形態のデジタルカメラ１００では、再生対象とする画像ファイルを、使用者によって画像の再生が指示された地点の空間分類情報に応じたもののみに限定できる。【００４７】
図４は、本実施の形態におけるデジタルカメラ１００の処理を示すフローチャートである。図４に示す処理は、デジタルカメラ１００の電源がオンされると起動するプログラムとして、制御装置１０５によって実行される。【００４８】
ステップＳ１０において、現在位置特定部１０５ａは、ＧＰＳセンサ１０４から出力される位置情報に基づいて、デジタルカメラ１００の現在位置を特定する。すなわち、ＧＰＳセンサ１０４から出力される位置情報を地図上のＸ座標、Ｙ座標に変換して、地図上におけるデジタルカメラ１００の現在位置を特定する。その後、ステップＳ２０へ進み、画像分類部１０５ｃは、デジタルカメラ１００が撮影モードに設定されているか否かを判断する。撮影モードに設定されていると判断した場合には、ステップＳ３０へ進む。【００４９】
ステップＳ３０では、画像分類部１０５ｃは、使用者によって入力スイッチ１０１に含まれるレリーズボタンが半押しされたか否かを判断する。レリーズボタンが半押しされていないと判断した場合には、ステップＳ１０に戻って処理を繰り返す。これに対してレリーズボタンが半押しされたと判断した場合には、ステップＳ４０へ進む。ステップＳ４０では、画像分類部１０５ｃは、図２に示した空間分類辞書を参照して現在位置の空間分類情報を取得し、メモリ１０６に格納する。なお、ここで空間分類辞書から現在位置の空間分類情報を取得できない場合には、上述したように使用者に対して登録を促し、登録された空間分類情報、またはデフォルト値をメモリ１０６に格納する。また、複数の空間分類情報を取得した場合には、最も第三者によるアクセスの可能性が低い空間分類情報をメモリ１０６に格納する。その後、ステップＳ５０へ進む。【００５０】
ステップＳ５０では、画像取得部１０５ｄは、使用者によってレリーズボタンが全押しされたか否かを判断する。レリーズボタンが全押しされていないと判断した場合には、ステップＳ１０に戻って処理を繰り返す。これに対してレリーズボタンが全押しされたと判断した場合には、ステップＳ６０へ進む。ステップＳ６０では、画像取得部１０５ｄは、撮像素子１０３を制御して被写体像を撮像した画像データを取得し、取得した画像データに対して種々の公知の画像処理を施す。そして、画像処理後の画像データを画像データ部に格納し、付加情報を付加情報部に格納したＥｘｉｆ形式の画像ファイルを生成する。その後、ステップＳ７０へ進む。【００５１】
ステップＳ７０では、画像分類部１０５ｃは、生成した画像ファイルの付加情報部にメモリ１０６内に格納しておいた現在位置の空間分類情報を、画像が撮影された地点の空間分類情報として記録する。その後、ステップＳ８０へ進み、画像分類部１０５ｃは、付加情報部に空間分類情報を格納した画像ファイルをメモリカードスロット１０７に挿入されているメモリカード内に記録する。その後、後述するステップＳ１７０へ進む。【００５２】
次に、ステップＳ２０において、デジタルカメラ１００が撮影モードに設定されていないと判断した場合の処理について説明する。この場合には、ステップＳ９０へ進み、再生対象画像判定部１０５ｅは、デジタルカメラ１００が再生モードに設定されているか否かを判断する。再生モードに設定されていると判断した場合には、ステップＳ１００へ進み、再生対象画像判定部１０５ｅは、空間分類辞書からステップＳ１０で特定した現在位置が含まれる空間の空間分類情報を画像再生地点の空間分類情報として取得する。【００５３】
なお、ここで空間分類辞書から画像再生地点の空間分類情報を取得できない場合には、上述したように使用者に対して登録を促し、登録された空間分類情報、またはデフォルト値を画像再生地点の空間分類情報として特定する。また、複数の空間分類情報を取得した場合には、最も第三者によるアクセスの可能性が高い空間分類情報を画像再生地点の空間分類情報として特定する。【００５４】
その後、ステップＳ１１０へ進み、再生対象画像判定部１０５ｅは、図３で上述した空間分類テーブルを参照して、画像再生地点の空間分類情報に応じた再生対象の空間分類情報を決定する。そして、付加情報部に当該再生対象の空間分類情報が記録されている画像ファイルのみを再生対象の画像ファイルとして選択して、ステップＳ１２０へ進む。ステップＳ１２０では、画像再生部１０５ｆは、再生対象画像判定部１０５ｅによって決定された再生対象の画像ファイルをモニタ１０８に出力して再生する。その後、後述するステップＳ１７０へ進む。【００５５】
一方、ステップＳ９０において、デジタルカメラ１００が再生モードに設定されていないと判断した場合には、ステップＳ１３０へ進む。ステップＳ１３０では、空間分類辞書登録部１０５ｂは、使用者によって入力スイッチ１０１が操作されて、空間分類辞書へのデータの登録が指示されたか否かを判断する。空間分類辞書へのデータの登録が指示されたと判断した場合には、ステップＳ１４０へ進み、空間分類辞書登録部１０５ｂは、上述したように、使用者からの入力に基づいて、ステップＳ１０で特定した現在位置に対応する空間の空間エリア情報および空間分類情報を空間分類辞書に登録する。その後、後述するステップＳ１７０へ進む。【００５６】
これに対して、空間分類辞書へのデータの登録が指示されていないと判断した場合には、ステップＳ１５０へ進む。ステップＳ１５０では、空間分類辞書登録部１０５ｂは、使用者によって入力スイッチ１０１が操作されて、空間分類辞書に登録されているデータの変更が指示されたか否かを判断する。データの変更が指示されたと判断した場合には、ステップＳ１６０へ進み、空間分類辞書登録部１０５ｂは、上述したように、使用者からの入力に基づいて、空間分類辞書に登録されているデータを変更する。このとき、空間分類辞書登録部１０５ｂは、使用者に対してパスワードの入力を促し、正しいパスワードが入力された場合のみ情報の変更を許可する。その後、ステップＳ１７０へ進む。【００５７】
ステップＳ１７０では、使用者によって入力スイッチ１０１に含まれる電源ボタンが押下されて、デジタルカメラ１００の電源がオフされたか否かを判断する。電源がオフされていないと判断した場合には、ステップＳ１０へ戻って処理を繰り返す。これに対して、電源がオフされたと判断した場合には、処理を終了する。【００５８】
以上説明した本実施の形態によれば、以下のような作用効果を得ることができる。
（１）画像ファイルを画像ファイルの撮影地点の地理的情報に基づいて分類して記録し、画像の再生が指示された場合には、画像ファイルの分類結果と画像再生地点の地理的情報とに基づいて再生対象とする画像ファイルを選択して再生するようにした。これによって、データの取得時および再生時の地理的情報に応じて自動的に再生対象の画像ファイルを選択することができ、再生地点に適した画像ファイルのみを再生することができる。【００５９】
（２）画像の撮影地点の地理的情報、および画像の再生地点の地理的情報は、それぞれの地点が属する空間を示す情報として、空間エリア情報ごとに特定される空間分類情報を使用するようにした。そして、空間分類情報を、第三者によるアクセスの可能性に応じて、（Ａ）〜（Ｅ）の５つに分類するようにした。これによって、画像の撮影地点、および画像の再生地点を空間単位に特定し、各空間の第三者によるアクセスの可能性に応じて、再生対象の画像ファイルを選択することができる。【００６０】
（３）再生対象の画像ファイルを選択するに当たっては、再生空間の第三者によるアクセスの可能性と撮影空間の第三者によるアクセスの可能性が同じ画像ファイル、および再生空間の第三者によるアクセスの可能性よりも撮影空間の第三者によるアクセスの可能性が高い画像ファイルを選択するようにした。これによって、第三者によるアクセスの可能性が高い空間のように他人に再生画像を見られる可能性が高い空間では、再生対象とする画像ファイルの選択条件を厳しくして、他人の目に触れる場所で撮影された画像のみを再生対象とすることができる。一方、第三者によるアクセスの可能性が低い空間のように他人に再生画像を見られる可能性が低い空間では、再生対象とする画像ファイルの選択条件を緩和して、より多くの画像を再生することができるようになる。【００６１】
（４）撮影地点の空間分類情報が複数存在する場合には、複数の空間分類情報の内、最も第三者によるアクセスの可能性が低い空間分類情報を用いて画像ファイルを分類するようにした。これによって、複数の空間にまたがる撮影地点で取得された画像ファイルには、再生の際により再生対象の画像として選択されにくい空間分類情報を自動的に付加することができ、セキュリティ保護の観点から有効となる。【００６２】
（５）また、画像の再生が指示された地点における空間分類情報が複数存在する場合には、複数の空間分類情報の内、最も第三者によるアクセスの可能性が高い空間分類情報を画像再生地点の空間分類情報として特定するようにした。これによって、複数の空間にまたがる再生地点においては、再生対象の画像の選択条件をより厳しくすることができ、セキュリティ保護の観点から有効となる。【００６３】
（６）使用者によって空間分類辞書内のデータの変更が指示された場合には、使用者に対してパスワードの入力を促し、正しいパスワードが入力された場合のみ情報の変更を許可するようにした。これによって、権限のない第三者による情報の変更を防止することができる。【００６４】
―変形例―
なお、上述した実施の形態のデジタルカメラは、以下のように変形することもできる。
（１）上述した実施の形態では、撮影地点の地図上の位置に基づいて空間分類辞書を参照して撮影地点の空間分類情報を取得し、取得した空間分類情報を画像ファイルの付加情報部に記録して画像ファイルをメモリカード内に記録する例について説明した。しかしこれに限定されず、メモリカード内にそれぞれの空間分類情報に応じたフォルダを作成しておき、撮影地点の地図上の位置に基づいて空間分類辞書を参照して撮影地点の空間分類情報を取得し、取得した空間分類情報に応じたフォルダ内に画像ファイルを振り分けて記録するようにしてもよい。これによって、付加情報部を持たない画像ファイルや、画像ファイルが生成される前の生データなども撮影地点の空間分類情報に基づいて分類することができる。【００６５】
（２）上述した実施の形態では、撮影地点の地図上の位置に基づいて取得した撮影地点の空間分類情報を画像ファイルの付加情報部に記録して、自動的に画像ファイルをメモリカード内に記録する例について説明した。しかしながら画像を撮影するごとに、撮影した画像にどの空間分類情報が付加されたかをモニタ１０８に表示するようにしてもよい。またデジタルカメラ１００にスピーカを搭載し、撮影した画像にどの空間分類情報に付加されたかをスピーカを介して効果音で通知してもよい。これによって、使用者は撮影した画像に付加された画像分類情報をその場で知ることができる。【００６６】
（３）上述した実施の形態では、撮影地点の空間分類情報に基づいて、画像ファイルを分類する例について説明した。しかしながら、さらに被写体の特徴も加味して画像ファイルを分類するようにしてもよい。例えば、撮影した画像に対して公知の顔認識処理を実行して、画像内に写っている被写体の顔を認識する。そして、その認識した顔が予め登録されている人物の顔である場合には、画像ファイルの付加情報部に格納する空間分類情報をその人物に応じて変更するようにしてもよい。具体的には、撮影地点の空間分類情報がＰｕｂｌｉｃ  Ｓｐａｃｅである場合に、画像内に写っている被写体の顔が使用者の友人であれば、撮影地点の空間分類情報をＦｒｉｅｎｄ  Ｓｐａｃｅに変更して付加情報部に登録するようにする。また、画像内に写っている被写体の顔が使用者の子供である場合には、撮影地点の空間分類情報をＨｏｍｅ  Ｓｐａｃｅに変更して付加情報部に登録するようにする。【００６７】
また、画像分類部１０５ｃによって分類され、画像取得部１０５ｄによって付加情報部に記録された空間分類情報を、使用者が変更できるようにしてもよい。このとき、付加情報部に記録された空間分類情報の変更が指示された場合には、使用者に対してパスワードの入力を促し、正しいパスワードが入力された場合のみ空間分類情報の変更を許可するようにすれば、権限のない第三者によるデータの変更を防止することができる。【００６８】
（４）上述した実施の形態では、あらかじめ作成された空間分類テーブルを参照して、再生対象の画像ファイルを選択する例について説明した。しかしながら、この空間分類テーブルを使用者が任意に変更できるようにしてもよい。このとき、空間分類テーブル内のデータの変更が指示された場合には、使用者に対してパスワードの入力を促し、正しいパスワードが入力された場合のみデータの変更を許可するようにすれば、権限のない第三者によるデータの変更を防止することができる。【００６９】
（５）上述した実施の形態では、空間分類辞書を参照して取得した空間分類情報を、画像ファイルの付加情報部に記録するようにした。しかしながら、空間分類辞書を参照して取得した空間エリア情報を、画像ファイルの付加情報部に記録するようにしてもよい。この場合、画像の再生が指示された場合には、再生対象画像判定部１０５ｅは、空間分類辞書を参照して、画像再生地点の空間分類情報を取得する。そして、空間分類辞書から画像再生地点の空間分類情報と同じ空間分類情報が対応付けられている空間エリア情報を抽出する。そして、メモリカードに記録されている画像ファイルの中から、抽出した空間エリア情報と同一の空間エリア情報が付加情報部に記録されている画像ファイルを再生対象の画像ファイルとして決定すればよい。【００７０】
（６）上述した実施の形態では、使用者によってレリーズボタンが半押しされたタイミングで、その都度、現在位置特定部１０５ａによって特定された撮影地点の地図上の現在位置に基づいて、撮影地点の空間分類情報を取得する例について説明した。しかしながら、デジタルカメラ１００が起動された後、レリーズボタンが初めて半押しされたタイミングで取得した撮影地点の空間分類情報を電源がオフされるまでの間保持してもよい。この場合、電源がオフされるまで間に撮影された画像に対しては、保持した空間分類情報を適用するようにしてもよい。これによって、一般的には、使用者は他の空間へ移動する前にはデジタルカメラ１００の電源をオフすることが多いことから、デジタルカメラ１００の電源がオンされている間は空間の移動がない可能性が高いことを加味して、空間分類情報を取得するための処理負荷を低減することができる。【００７１】
（７）上述した実施の形態では、地図上の現在位置をＸ座標、Ｙ座標の２次元で特定し、この現在位置の座標値と半径Ｒとに基づいて空間を特定して、空間エリア情報とする例について説明した。しかしながら地図データとして３次元の地図データを備えている場合には、地図上の現在位置を空間の高さも含めたＸ座標、Ｙ座標、Ｚ座標の３次元で特定し、この現在位置の座標値と半径Ｒとに基づいて空間を特定して、空間エリア情報としてもよい。【００７２】
（８）上述した実施の形態では、デジタルカメラ１００にＧＰＳセンサ１０４を備え、このＧＰＳセンサ１０４からの出力に基づいて現在位置を特定する例について説明したが、公知のＰＨＳやＵＷＢなどによって現在位置を特定してもよい。また、空間に設けられた照明光にその空間を示す空間エリア情報に相当する情報、すなわち地図上の現在位置の座標地と空間の半径とを含めて出力するようにし、デジタルカメラ１００はこの照明光に含まれる情報を取得して空間を認識するようにしてもよい。【００７３】
（９）上述した実施の形態では、現在位置特定部１０５ａは、ＧＰＳセンサ１０４から出力される位置情報に基づいてデジタルカメラ１００の地図上の現在位置を特定する。そして、画像分類部１０５ｃは、使用者によってレリーズボタンが半押しされたときに、現在位置特定部１０５ａで特定したデジタルカメラ１００の地図上の現在位置を取得するものとした。しかしながら、現在位置特定部１０５ａは、使用者によってレリーズボタンが半押しされたときにのみ、ＧＰＳセンサ１０４から出力される位置情報に基づいてデジタルカメラ１００の地図上の現在位置を特定し、画像分類部１０５ｃは、この特定された現在位置を取得するようにしてもよい。【００７４】
（１０）上述した実施の形態では、データ記録再生装置としてデジタルカメラ１００を用い、空間分類情報を使用して、撮影した画像ファイル（静止画データ）を分類する例について説明した。しかしながら、データ記録再生装置として音声データや動画データを記録・再生するための装置を用い、これらの装置で記録したデータを空間分類情報を使用して分類するようにしてもよい。例えば、データ記録再生装置としてデジタルビデオカメラを用い、撮影した動画データを撮影地点の空間分類情報を使用して分類し、再生地点の空間分類情報に基づいて再生対象の動画データを選択するようにしてもよい。もしくは、データ記録再生装置としてＩＣレコーダーを用い、録音した音声データを録音地点の空間分類情報を使用して分類し、再生地点の空間分類情報に基づいて、再生対象の音声データを選択するようにしてもよい。【００７５】
（１１）また、デジタルカメラ１００に外部のサーバと通信するための通信機能を搭載し、外部のサーバに図２に示した空間分類辞書と図３に示した空間分類テーブルとを記録するようにしてもよい。このとき、外部のサーバへ接続するデジタルカメラ１００が複数ある場合には、外部サーバは、各デジタルカメラ１００の使用者ごとに空間分類辞書と空間分類テーブルを保持するようにすればよい。そして、例えば各デジタルカメラ１００から画像ファイルを外部のサーバを介して他のデジタルカメラ１００へメールで送信できるようにしてもよい。この場合、外部サーバでは、送信元と送信先のメールアドレスから送信元の使用者と送信先の使用者を特定する。そして、外部サーバは、送信先の使用者用の空間分類辞書を参照して、送信元のデジタルカメラ１００で付加情報部に付加された空間分類情報を、送信先の使用者用の空間分類情報に置き換えてから送信することが好ましい。なお、送信元および送信先の使用者を特定するためには、メールアドレスではなくデジタルカメラ１００の製造番号や使用者のユーザＩＤを用いて使用者を特定してもよい。また、送信先はデジタルカメラ１００以外の機器、例えばパソコンや携帯情報端末などでもよい。【００７６】
（１２）上述した実施の形態では、例えばデジタルカメラのように、データを記録し、記録したデータを再生することができるデータ記録再生装置に本発明を適用する場合について説明した。しかしながら、データを記録する機能を備えないデータ再生装置にも本発明は適用可能である。すなわち、データ再生装置において、空間分類情報を用いてデータを分類して記録することができる他の装置で記録されたデータをその分類結果を保持したまま読み込んで、その分類結果と再生地点の空間分類情報とに基づいて再生対象とするデータを選択するようにしてもよい。例えば、データ再生装置として持ち運び可能なノートパソコンを使用し、デジタルカメラで空間分類情報を用いて分類された画像ファイルを読み込んでハードディスクに記録しておき、使用者によって画像の再生が指示された場合に、その再生地点の空間分類情報に基づいて再生対象の画像ファイルを選択するようにしてもよい。【００７７】
また、パーソナルコンピュータなどに適用する場合、上述した制御に関するプログラムは、ＣＤ−ＲＯＭなどの記録媒体やインターネットなどのデータ信号を通じて提供することができる。図５はその様子を示す図である。パーソナルコンピュータ４００は、ＣＤ−ＲＯＭ４０４を介してプログラムの提供を受ける。また、パーソナルコンピュータ４００は通信回線４０１との接続機能を有する。コンピュータ４０２は上記プログラムを提供するサーバーコンピュータであり、ハードディスク４０３などの記録媒体にプログラムを格納する。通信回線４０１は、インターネット、パソコン通信などの通信回線、あるいは専用通信回線などである。コンピュータ４０２はハードディスク４０３を使用してプログラムを読み出し、通信回線４０１を介してプログラムをパーソナルコンピュータ４００に送信する。すなわち、プログラムをデータ信号として搬送波により搬送して、通信回線４０１を介して送信する。このように、プログラムは、記録媒体や搬送波などの種々の形態のコンピュータ読み込み可能なコンピュータプログラム製品として供給できる。【００７８】
上記では、種々の実施の形態および変形例を説明したが、本発明はこれらの内容に限定されるものではない。本発明の技術的思想の範囲内で考えられるその他の態様も本発明の範囲内に含まれる。【００７９】
次の優先権基礎出願の開示内容は引用文としてここに組み込まれる。
日本国特許出願２００６年第１９８３２５号（２００６年７月２０日出願）
【図１】
0005417848.tif 000002
【図２】
0005417848.tif 000003
【図３】
0005417848.tif 000004
【図４】
0005417848.tif 000005
【図５】
0005417848.tif 000006